(57)【要約】【課題】スピーカ音量の調整機能を自動的に検査可能とする。【解決手段】パチンコ機は、遊技内容を制御するプログラムを有したメイン制御基板を備えており、このメイン制御基板にはサブ制御基板および液晶制御基板が接続されている。このうちサブ制御基板は、メイン制御基板からの送信コマンドに従ってスピーカを駆動し、遊技中の効果音や音声情報等の出力を制御している。サブ制御基板にはレベル調整回路が組み込まれており、そのピンスイッチＳ１を操作してスピーカの音量を大小に調整することができる。そして、このピンスイッチＳ１を操作したときに、実際にアンプの出力が変化するか否かをファンクションテスタ６２によって自動的に検査する。【選択図】    図４
2004267487.tif 000002
【特許請求の範囲】
【請求項１】
遊技の進行に伴い、遊技者に提供するべき情報を出力する情報出力機器と、
前記情報出力機器に向けて作動信号を出力し、その出力レベルに応じて前記情報出力機器の作動を制御する制御機器と、
前記制御機器に設けられ、前記作動信号の出力レベルを段階的に調整するレベル調整手段とを備えた遊技機において、
前記レベル調整手段を外部から作動させることで、前記作動信号の出力レベルの調整具合を検査する検査手段を具備したことを特徴とする遊技機の検査装置。
【発明の詳細な説明】
【０００１】
【発明の属する技術分野】
本発明は、例えばパチンコ機やスロットマシン等の遊技機に係り、特に遊技者に提供される音や画像等の情報の出力状態を段階的に調整することができる遊技機に関する。
【０００２】
【従来の技術】
この種の遊技機に関連する従来の技術として、スロットマシンやパチンコ機に配置されているスピーカの音量を段階的に調整するための遊技機用音量調整回路が知られている（例えば、特許文献１参照。）。この公知の音量調整回路は、４個の固定接点を有したスライド式のスイッチ素子を備えており、その固定接点の接続関係を切り替えることで、アンプからスピーカまでの間の抵抗値を変化させることができる。
【０００３】
このため公知の音量調整回路によれば、スイッチ素子をスライド操作するだけで、スロットマシンやパチンコ機のスピーカから出力される音量を段階的（例えば、大・中・小の３段階）に調整することができる。また、それ以前から用いられていた可変抵抗器に代えて簡素なスイッチ素子を使用することができるので、音量調整回路を安価に提供することができると考えられる。
【０００４】
【特許文献１】
特開平６−３１０５５号公報（第１−２頁、図１）
【０００５】
【発明が解決しようとする課題】
上述した公知の音量調整回路は、実際の遊技場等に遊技機が設置された後で、その音量調整作業を容易に行うことができる点で一定の利便性が認められる。具体的には、遊技場等の係員がスロットマシンやパチンコ機の内部を個別に開いてスイッチ素子をいずれかの位置へスライド操作し、全ての台を一定の音量レベルに保つことで遊技場内の音環境に適した大きさの音情報を遊技者に提供することができる。
【０００６】
また公知の音量調整回路は、例えば遊技場の営業時間外において遊技機の保守・点検作業を行う場合や、ショールーム等の比較的静かな場所に遊技機を設置する場合にその音量を小さくすることができる点でも一定の有用性が認められる。
【０００７】
しかしながら、たとえ設置後の操作が容易なスイッチ素子が設けられていても、その設置前から音量調整回路内の抵抗器や配線に異常があれば、当然、スイッチ素子を操作しても音量調整機能は働かない。このため例えば、製造者が音量調整回路を遊技機に組み込もうとすると、その設置前に音量調整機能が正常に動作するか否かを検査しておく必要が生じる。この場合、遊技機の完成検査や出荷前検査等において１台ずつ作業者がスイッチ素子をスライド操作し、その通り音量が切り替わるか否かを実際に耳聞きして検査を行うことは可能であるものの、現実にそれだけの時間と労力を割くことは製造者にとって大きな負担となる。
【０００８】
そこで本発明は、情報の出力状態を調整する機能を遊技機に組み込んで一定の利便性や有用性を確保しつつ、その検査に要する作業負担を削減することを課題としたものである。
【０００９】
【課題を解決するための手段】
本発明は、遊技機の外部から調整機能の検査を可能とすることで上記の課題を解決する（解決手段１）。すなわち、遊技機がその基本的な構成として、遊技の進行に伴い遊技者に提供するべき情報を出力する情報出力機器と、この情報出力機器に向けて作動信号を出力し、その出力レベルに応じて情報出力機器の作動を制御する制御機器と、この制御機器に設けられて作動信号の出力レベルを段階的に調整するレベル調整手段とを備えている場合、本発明の検査装置は、上述したレベル調整手段をその外部から作動させることで、作動信号の出力レベルの調整具合を検査する検査手段を備えている。
【００１０】
上述した情報出力機器には、例えば遊技機に装備されるスピーカや表示画面等が含まれる。情報出力機器がスピーカであれば、そこから各種の音声や効果音等の音情報が出力される。あるいは情報出力機器が表示画面であれば、そこに文字情報や映像情報等の可視情報が出力される。これらスピーカや表示画面等の情報出力機器は制御機器からの作動信号に基づいて情報を出力しており、制御機器には例えば、スピーカや表示画面等の作動を制御する各種の制御基板が含まれる。これら制御基板上にはレベル調整手段を設けることができ、このレベル調整手段を作動させて作動信号の出力レベルを段階的に調整することにより、その出力レベルに応じてスピーカの音量や表示画面の輝度、コントラスト等の出力状態を変化させることができる。そして遊技機の検査においては、検査手段によりレベル調整手段を外部から作動させて作動信号の出力レベルの調整具合を容易に検査することができる。
【００１１】
また本発明は、その外部から調整機能の検査を実施可能な遊技機としての構成を有する。すなわち本発明の遊技機は、遊技の進行に伴い遊技者に提供するべき情報を出力する情報出力機器と、この情報出力機器に向けて作動信号を出力し、その出力レベルに応じて情報出力機器の作動を制御する制御機器と、制御機器に設けられた操作スイッチを有し、この操作スイッチへの操作によりその接点を開閉することで作動信号の出力レベルを段階的に調整するレベル調整回路と、制御機器に設けられ、その外部から操作スイッチの接点に対する電気的な接続を許容し、かつ、外部からの接続により操作スイッチの接点を開閉することでレベル調整回路による出力レベルの調整具合を検査可能とする検査用コネクタとを備えたものとなる（解決手段２）。
【００１２】
この場合、本発明は完成品としての遊技機であって、そこには検査手段等の外的な要素は含まれていない。したがって、制御機器のレベル調整回路はあくまで、遊技機の設置後に操作スイッチを操作することで有効に機能することを想定したものとなっている。しかしながら、制御機器には予め検査用コネクタが設けられていることから、遊技機の完成検査や出荷前検査等において、この検査用コネクタを通じて制御機器に検査装置を接続することにより、レベル調整回路による調整機能の検査を容易に自動化することが可能となる。
【００１３】
上述した検査の自動化は、レベル調整回路の構成により容易に実現される。すなわち、レベル調整回路の操作スイッチは、実際にこれを操作しなくても検査用コネクタを通じた外部からの接続によって接点を開閉（切断または短絡）可能であることから、例えば外部の検査装置において操作スイッチの接点を切断または短絡することで、物理的に操作スイッチを操作することなくレベル調整回路の機能を検査することができる。
【００１４】
より好ましくは、レベル調整回路は作動信号の出力レベルを高低いずれか一方に調整可能であり、操作スイッチの接点が開かれた状態で作動信号の出力レベルを高くする一方、操作スイッチの接点が閉じられた状態で作動信号の出力レベルを低くすることができる（解決手段３）。
【００１５】
上述したレベル調整回路の構成は、遊技機の通常の使用状態に適した出力レベルを標準とする考え方に基づいている。すなわち、遊技機の多くは遊技場に設置した状態で使用されるものであることから、そのような使用状態においては標準的に高い出力レベルが適している。例えば情報出力機器がスピーカである場合、遊技場内は総じて騒音レベルの高い音環境にあると考えられることから、操作スイッチを常時開（ノーマルオープン）としておくことで、レベル調整回路を標準的に高出力レベル、つまり、スピーカから大音量が出力されるように設定しておくことができる。またこの場合、遊技機の保守・点検作業時やショールームでの使用時等においては、その都度、操作スイッチを操作して接点を閉じれば、必要に応じてレベル調整回路を低出力レベル（小音量）に設定することができる。
【００１６】
また、このようにレベル調整回路が標準的に高出力レベルの設定となっていれば、例えば遊技場への設置後に操作スイッチに異常が生じたとしても、その後の遊技機の稼働には全く支障がない。すなわち、設置当初から高出力レベルの設定であれば、それを敢えて低出力レベルにする機能が働かないだけであって、遊技機そのものは問題なく稼働を継続することができる。あるいは、ショールーム等に設置された後に操作スイッチに異常が生じた場合であっても、検査用コネクタを短絡させることで使用環境に適したレベル調整を行うことができる。
【００１７】
上述したレベル調整回路は、作動信号の生成源を増幅器に接続する信号経路と、この信号経路と負極との間に電気抵抗を付加する抵抗付加経路とを含み、この抵抗付加経路の途中に操作スイッチが配設されている（解決手段４）。
【００１８】
上述のように操作スイッチの開閉だけで出力レベルの調整を行おうとする場合、このような回路構成がきわめて好ましい態様となる。すなわち、操作スイッチの接点が閉じられて信号経路と負極との間に新たな電気抵抗が付加されると、その分、増幅器への入力電圧が下がるため作動信号の出力レベルを低下させることができる。
【００１９】
制御機器は検査用コネクタを介して所定の検査装置に接続可能であり、この検査装置は、検査用コネクタを通じた外部からの接続により操作スイッチの接点を開閉可能な検査回路を含んでいる（解決手段５）。このような検査回路は、制御機器の外部にて操作スイッチの接点を機械的・電気的に開閉する機能を有することができ、これにより検査の自動化に資することができる。
【００２０】
より好ましくは、検査装置は情報出力機器からの情報の出力状態を検出する状態センサと、この状態センサによる検出結果に基づいてレベル調整回路による出力レベルの調整具合の良否を判定する判定回路とをさらに含んでいる（解決手段６）。このような構成をも含むものであれば、検査装置は最終的に良否判定の結果をアウトプットとして提供することが可能となる。この場合、実際に検査に従事する作業者は検査装置のアウトプットを確認するだけでよいので、検査作業が大幅に効率化される。
【００２１】
また本発明は、別途独立の態様として遊技機の検査システムを構成することができる。すなわち、遊技の進行に伴い遊技者に提供するべき情報を情報出力機器から出力するとともに、所定の制御機器から情報出力機器に向けて作動信号を出力し、このとき制御機器に設けられた操作スイッチの接点を開閉して作動信号の出力レベルを段階的に調整することにより、その出力レベルに応じて情報出力機器による情報の出力状態を変化させる遊技機がある場合、その検査システムの構成は、制御機器に設けられて外部から操作スイッチの接点に対する電気的な接続を許容する検査用コネクタと、検査用コネクタに接続可能な検査用端子を有し、この検査用端子を通じた外部からの接続により操作スイッチの接点を開閉させる検査回路と、この検査回路により操作スイッチの接点が開閉されるのに伴い、情報出力機器からの情報の出力状態を検出する状態センサとを備える（解決手段７）。
【００２２】
さらに検査システムは、その構成として状態センサによる検出結果に基づいて、レベル調整回路による出力レベルの調整具合の良否を判定する判定回路を備えることが好ましい（解決手段８）。
【００２３】
このような検査システムは、遊技機の完成検査や出荷前検査、あるいは、外部の製造委託者からの納品・受入検査等において有用となる。いずれにしても、完成品である遊技機（制御機器）に予め検査用コネクタが予め設けられていれば、これを検査システムの一部として利用し、そこに検査装置を接続することで調整機能の検査を自動的に実施することが可能となる。
【００２４】
【発明の実施の形態】
以下、本発明の遊技機およびその検査システムの好ましい実施の形態について説明する。
【００２５】
図１および図２は、遊技機の一実施形態であるパチンコ機１を具体的に示している。この例のパチンコ機１は、遊技球を媒体としてパチンコ遊技やアレンジボール遊技を提供するものとなっている。ただし、これに限らず本発明の遊技機は、遊技球やメダルを媒体としてスロットマシン遊技を提供するものであってもよい。
【００２６】
パチンコ機１は、縦長の矩形に組まれた外枠２をベースとして構成されており、この外枠２の内側に各種の構成要素が配置されている。図１に示されるように、パチンコ機１は遊技者に相対する前側に前面枠４を有しており、この前面枠４にガラス枠６や上皿８、下皿１０、発射ハンドル１２等が配置されている。
【００２７】
一方、図２に示されるようにパチンコ機１はその背面側に機構盤１４を有しており、この機構盤１４には球タンク１６やタンクレール１８、裏セット２０等の各種の機構要素が取り付けられている。外枠２の内側には基枠２２が配置されており、この基枠２２は前面枠４と機構盤１４との間に位置している。また、基枠２２には遊技盤２４が嵌め込まれており、基枠２２はその構造によって遊技盤２４を前側から嵌め込むタイプと後側から嵌め込むタイプとがある。いずれにしても基枠２２に遊技盤２４を嵌め込んだ状態で、その背面側に機構盤１４が固定されている。
【００２８】
パチンコ機１の前面からみて、ガラス枠６はパチンコ機１の本体前面の上半分以上を覆っており、その背面側、つまり、パチンコ機１の本体内部に上述の遊技盤２４（図１には示されていない）が配置される。ガラス枠６はその中央にガラス面２６を有しており、このガラス面２６を透かして遊技盤２４の盤面が遊技者に視認可能となっている。このため特に、遊技盤２４の盤面構成によりパチンコ機１の機種が特徴付けられている。遊技盤２４には通常、その中央に遊技領域が形成されており、この遊技領域には機種に応じて液晶表示装置や各種の役物、障害釘、風車、ゲート口、入賞口等の盤面構成要素（いずれも図示していない）が配置されている。
【００２９】
またガラス枠６は、その幅方向でみて一側縁部（この例では前面からみて左側縁部）がヒンジを介して支持されており、それゆえガラス枠６はパチンコ機１の前側にて水平方向に開閉可能となっている。上述した上皿８および下皿１０はいずれも周囲の部位と合わせてユニット化されており、個々のユニットにはガラス枠６のデザインに合わせた装飾が施されている。このようにユニット化された上皿８もまた、その左側縁部がヒンジを介して支持されており、それゆえガラス枠６と同様にパチンコ機１の前側にて水平方向に回動可能となっている。
【００３０】
ガラス枠６の前面において、遊技領域となるガラス面２６の周囲は装飾領域として形成されており、この装飾領域内に各種形状の枠ランプ２８ａ〜２８ｆやモールディング３０等の装飾部材が配置されている。これら枠ランプ２８ａ〜２８ｆはその点灯・点滅パターンに応じて各種の発光装飾を施し、遊技中の演出効果を高めたり、あるいは待機中のデモンストレーションを実施したりする。
【００３１】
パチンコ機１の前面には、ガラス枠６の右上隅の位置と下皿８にそれぞれスピーカ３２，３４が内蔵されており、このうち一方のスピーカ３２が中高音用であり、他方のスピーカ３４が中低音用である。これらスピーカ３２，３４は遊技の進行に伴い、遊技者に提供するべき効果音や音声等の音情報を出力することができる。
【００３２】
また図１には示されていないものの、本実施形態では遊技盤２４のほぼ中央の位置に液晶表示画面が配置されており、この液晶表示画面は遊技の進行に伴い、各種の図柄や映像、文字等の可視情報を出力することができる。
【００３３】
図２に示されているように、パチンコ機１はその背面側に各種の電子機器を備えている。以下で説明する各種の「基板」は、実際には保護カバーやボックス等に内蔵されているものであり、それゆえ、図中の参照符号とは厳密に一致していない場合もあるが、説明の便宜上、単に保護カバーやボックス等を指して「基板」と称する場合があるものとする。
【００３４】
先ず上述の機構盤１４には分電基板３６が配置されており、この分電基板３６は図示しない電気コードを通じて外部電源に接続される。さらに機構盤１４には電源基板３８が配置されており、この電源基板３８は分電基板３６を通じて外部電源を取り込み、パチンコ機１の作動に必要な電力を生成している。また、機構盤１４には払出制御基板４０が配置されており、この払出制御基板４０は払出装置、つまり、上述した裏セット２０の動作を制御している。
【００３５】
本実施形態のパチンコ機１は、台間にカードユニットが付属するいわゆるＣＲ機であり、それゆえ機構盤１４にはカードユニットとの通信を行うためにインタフェース基板４２が装備されている。なお、カードユニットが付属しない現金機であれば、このようなインタフェース基板４２は設けられない。
【００３６】
機構盤１４の下方には発射制御基板４４が配置されており、この発射制御基板４４は上述の発射ハンドル１２と協働して発射モータ４６の作動を制御している。パチンコ機１は発射モータ４６を動力として発射装置を起動し、遊技球を遊技領域に向けて打ち出すことができる。
【００３７】
本実施形態のパチンコ機１による遊技は、発射された遊技球が遊技領域内のゲート口や入賞口等に入賞することで具体的に進行する。例えば、いわゆる一般入賞口に遊技球が入賞すると、賞球として一定個数の遊技球が払い出される。また、いわゆるゲート口に遊技球が入賞すると、普通図柄表示部において普通図柄が変動を開始し、一定時間の後に停止する。あるいは、いわゆる始動入賞口に遊技球が入賞すると、賞球が払い出されるとともに液晶表示画面にて特別図柄が変動を開始し、各種の演出を行った後に変動が停止する。さらに、ゲート口や始動入賞口への入賞を契機として抽選が行われ、その結果に応じて遊技状態が様々に変化するものとなっている。
【００３８】
このような遊技の内容はパチンコ機１の機種に応じて独自のものが用意されており、それゆえ図２に示されるように、遊技盤２４の背面には遊技内容を制御するためのメイン制御基板４８が配置されている。さらに遊技盤２４には、サブ制御基板５０および液晶制御基板（図２には示されていない）が配置されている。
【００３９】
図３は、特に遊技内容の制御に関する構成を図式化して示している。上述のスピーカ３２，３４は、例えばガラス枠中継端子板５２や中継コネクタ５４等を介してサブ制御基板５０に接続されている。枠ランプ２８ａ〜２８ｆもまた、ガラス枠中継端子板５２を介してサブ制御基板５０に接続されており、サブ制御基板５０はメイン制御基板４８からの指令信号に基づき、スピーカ３２，３４の出力制御や枠ランプ２８ａ〜２８ｆの点灯制御を行うことができる。
また液晶制御基板５６はサブ制御基板５０からの指令信号に基づき、液晶表示画面５８の表示を制御することができる。
【００４０】
本実施形態のパチンコ機１は、遊技場の島設備に設置した状態で稼働することが想定されており、島設備には複数台のパチンコ機１が幅方向に列をなして配置され、その台間サンドとしてカードユニットがパチンコ機１に付属する。パチンコ機１が稼働状態にあるとき、遊技場内では各種機構要素の作動音や遊技球の発射音、落下衝撃音、賞球の払出音、さらには島設備の作動音や店内放送、ＢＧＭ等が複合し、きわめて高い騒音レベルにある。
【００４１】
したがって、そのような音環境のもとでも遊技中の効果音や音声等がかき消されることがないように、通常はサブ制御基板５０においてスピーカ３２，３４の出力レベル、つまり、音量が適切に制御されている。
【００４２】
一方、遊技場の営業時間外において特定のパチンコ機１の保守・点検作業を行う場合や、あるいは、ショールーム等にパチンコ機１を設置して稼働させる場合等にあっては、遊技場の営業時間中に比較するときわめて静かな音環境にあるため、通常の出力レベルでスピーカ３２，３４を制御すると、極端に音量が過大となってしまう。このため本実施形態のパチンコ機１は、スピーカ３２，３４の音量を大小の２段階に調整する機能を有しており、その稼働状況に合わせて音量を大きく設定したり、小さく設定したりすることができるものとなっている。
【００４３】
ところで、スピーカ３２，３４の音量調整機能そのものは、単純な電気回路を用いて容易に実現可能であるから、これをサブ制御基板５０等に予め組み込んでおくことは技術的にそれほど困難なことではない。しかしながら、そのような音量調整機能を組み込んだパチンコ機１を製品化しようとする場合、製造者等において音量調整機能が正常に作動するか否かを検査する必要が生じる。例えば、サブ制御基板５０が外部の製造委託者から納入されるものである場合、製造委託者において完成検査や出荷前検査等を行う必要があるし、製造者においても納品時の受入検査を行う必要がある。
そこで本実施形態のパチンコ機１では、このような検査を効率的に実施するための装備を有しており、以下、その具体的な実施例について説明する。
【００４４】
【実施例】
（第１実施例）
図４は、スピーカ３２，３４の音量を調整するためのレベル調整回路とその調整機能を検査するシステムの構成を概略的に示している。サブ制御基板５０には、例えば音源ＩＣおよびオーディオアンプ（いずれも図示していない）が内蔵されており、これら音源ＩＣとオーディオアンプとの間にレベル調整回路が組み込まれている。
【００４５】
レベル調整回路は音信号の出力経路Ｌ１を有し、音源ＩＣにて生成された音信号は出力経路Ｌ１を介してオーディオアンプに出力される。出力経路Ｌ１にはその途中に抵抗Ｒ１が設けられており、その下流にはさらに抵抗付加経路Ｌ２，Ｌ３が接続されている。これら抵抗付加経路Ｌ２，Ｌ３は出力経路Ｌ１から分岐して負極（グラウンド）に接続されており、それぞれ途中に抵抗値の異なる付加抵抗Ｒ２，Ｒ３が設けられている。
【００４６】
このうち、一方の抵抗付加経路Ｌ３にはピンスイッチＳ１が設けられており、このピンスイッチＳ１は、例えばサブ制御基板５０の外側に露出した位置にあって人手による操作が可能となっている。それゆえパチンコ機１の設置後においても、その背面を開放してピンスイッチＳ１を操作することにより、その接点Ｐ１，Ｐ２を任意に開閉することができるものとなっている。
【００４７】
レベル調整回路は、標準的にスピーカ３２，３４の音量は大きい方に設定されている。具体的には、レベル調整回路はその初期状態でピンスイッチＳ１が開かれており、この場合、抵抗Ｒ１（例えば１０ｋΩ）と付加抵抗Ｒ２（例えば４７０Ω）との分圧分の電圧がオーディオアンプに出力される結果、スピーカ３２，３４の音量は大に調整される。
【００４８】
ピンスイッチＳ１が閉じられると、付加抵抗Ｒ２，Ｒ３が互いに並列に接続され、その合成抵抗値（例えば１５０Ω）と抵抗Ｒ１との分圧分の電圧がオーディオアンプに出力される結果、スピーカ３２，３４の音量は小に調整される。
【００４９】
ここで、サブ制御基板５０には検査用コネクタ６０が設けられており、この検査用コネクタ６０は、図示のようにピンスイッチＳ１の接点Ｐ１，Ｐ２につながる外部接続端子Ｔ１，Ｔ２を有している。これら外部接続端子Ｔ１，Ｔ２はサブ制御基板５０の外部に空き端子として開放されており、それゆえ検査用コネクタ６０は、その外部から接点Ｐ１，Ｐ２に対する電気的な接続を許容することができる。なお、このような外部接続端子Ｔ１，Ｔ２はメイン制御基板４８ではなく、あくまでサブ制御基板５０に配置されていることから、空き端子として開放されているものであっても公的規制の対象にはならない。
【００５０】
上述したレベル調整回路の検査は、例えばファンクションテスタ６２を用いて自動化することができる。ファンクションテスタ６２は一対の検査用プローブ６４を備えており、これら検査用プローブ６４を検査用コネクタ６０に接触させることで、ファンクションテスタ６２がサブ制御基板５０に接続可能となっている。
【００５１】
ファンクションテスタ６２内では検査用プローブ６４がスイッチングデバイス６８に接続されており、このスイッチングデバイス６８はドライバ回路７０によるソフトウェア制御によって電気的に開閉可能となっている。したがって、ファンクションテスタ６２を用いた検査においては、サブ制御基板５０にあるピンスイッチＳ１を物理的に操作することなく、ファンクションテスタ６２内でのソフトウェア処理によって接点Ｐ１，Ｐ２をその外部から開閉することができる。
【００５２】
例えば、製造委託者等においてサブ制御基板５０を単体で検査する場合、検査用コネクタ６０にファンクションテスタ６２を接続して接点Ｐ１，Ｐ２を短絡させ、出力経路の端子電圧の変化を計測することでレベル調整回路の検査を行うことができる。一方、パチンコ機１の製造者においても、製造委託者等からサブ制御基板５０の納品を受ける際に同様の方法で受入検査を行うことができる。
【００５３】
さらに、製造者においてサブ制御基板５０をパチンコ機１に組み付けた後、実際にレベル調整回路が正常に機能するか否かを検査する場合、例えば以下のシステムにより検査を実施することができる。
【００５４】
図４に示されているように、ファンクションテスタ６２は音圧センサ７２を備えており、この音圧センサ７２を用いてスピーカ３２，３４から出力される音圧を検出可能となっている。また、ファンクションテスタ６２は判定回路７４を備えており、この判定回路７４を用いてレベル調整回路による音信号の出力レベルの調整具合が正常であるか否かを自動的に判定することができる。
【００５５】
上述したファンクションテスタ６２を用いた検査工程は、例えば以下の手順で行われる。先ず所定の検査位置に両者を設置し、ファンクションテスタ６２をサブ制御基板５０に接続する。この状態で音源ＩＣから音信号を出力し、スピーカ３２，３４から大音量を出力させる。あわせて音圧センサ７２によりスピーカ３２，３４からの音圧レベルを検出し、その値を判定回路７４に保存する。
【００５６】
次に、ドライバ回路７０によりスイッチングデバイス６８を短絡させる。このときスピーカ３２，３４からの音圧レベルを音圧センサ７２より検出し、その値を判定回路７４に入力する。
そして判定回路７４により、スイッチングデバイス６８の短絡前の検出値と短絡後の検出値との間の差を求め、その大きさからレベル調整回路の良否を判定する。具体的には、レベル調整回路が正常である場合の音圧レベル差の標準値を予め判定回路７４に記憶しておき、検査時に求めた音圧レベル差が標準値の許容誤差範囲内にある場合は、レベル調整回路が正常であると判定することができる。
【００５７】
この判定結果は、例えば判定回路７４からのアウトプットとして記録または表示することもできる。この場合、検査に従事する作業者は実際にスピーカ３２，３４の音量変化を聴覚で判断する必要がなく、単に判定回路７４による良否の判定結果を確認するだけでよい。
【００５８】
上述のように、サブ制御基板５０に予め検査用コネクタ６０が設けられていることから、これにファンクションテスタ６２を接続してレベル調整回路の検査を行うことができる。また、ファンクションテスタ６２を用いて検査を行うことにより、サブ制御基板５０やパチンコ機１の完成検査や出荷前検査、あるいは、受入検査等の作業を自動化することができる。したがって、パチンコ機１の製造者や外部製造委託者等による検査作業の負担が大幅に軽減される。
【００５９】
（第２実施例）
上述の第１実施例では、サブ制御基板５０のレベル調整回路によるスピーカ３２，３４の音量調整機能を例に挙げて説明しているが、レベル調整回路はその他に液晶制御基板５６にも組み込むことができる。例えば、遊技場内の照明環境によっては液晶表示画面のバックライトが明るすぎることがあり、このような場合にバックライトの輝度を調整する機能があれば、それだけ利便性に優れる。この場合、図４のレベル調整回路を液晶制御基板５６に組み込んで液晶表示画面のバックライトの輝度を段階的に調整することができ、そのためのピンスイッチＳ１が液晶制御基板５６の外側に露出して設けられる。
【００６０】
液晶制御基板５６にレベル調整回路が組み込まれている場合も同様に、検査用コネクタ６０を液晶制御基板５６に設けることで、ファンクションテスタ６２による輝度調整機能の検査が可能となる。この場合、音圧センサ７２に代えて輝度センサを用いれば、液晶表示画面の輝度変化を検出して判定回路７４に供給することができる。
【００６１】
（第３実施例）
図５は、図４と異なる形態のファンクションテスタ６２を示している。第１および第２実施例ではファンクションテスタ６２にスイッチングデバイス６８が設けられているが、この例ではスイッチングデバイス６８の代わりに可変抵抗器Ｒｘが設けられている。
【００６２】
図５のファンクションテスタ６２を用いた検査方法では、単にピンスイッチＳ１の接点Ｐ１，Ｐ２を開閉するだけでなく、抵抗付加経路Ｌ３上の抵抗値を変化させることでアンプの出力を変化させることができる。この場合、例えば可変抵抗器Ｒｘをドライバ回路７０により作動させ、レベル調整回路において音量を小に設定するための合成抵抗値を段階的または無段階に変化させる（例えば、１５０Ω〜４７０Ω）。そして、このときのスピーカ３２，３４の出力（またはバックライトの輝度）を音圧（輝度）センサ７２を用いて検出することにより、第１，２実施例と同様の検査を行うことができる。
【００６３】
上述のように、サブ制御基板５０や液晶制御基板５６をパチンコ機１に組み付けた後の検査においても、実際にスピーカ３２，３４や液晶表示画面からの出力（音量、輝度等）を検出することなく、サブ制御基板５０や液晶制御基板５６からの信号の出力レベルを検出することで、各実施例と同様の検査を行うこともできる。
【００６４】
すなわち、スピーカ３２，３４や液晶表示画面等の情報出力機器そのものが正常であるとすれば、レベル調整機能の良否は最終的にサブ制御基板５０や液晶制御基板５６等の回路構成上の問題であることから、その出力レベルを検出して検査を実施すれば、レベル調整回路が正常に機能しているか否かを検査することができる。この場合、ファンクションテスタ６２の他にテスタをサブ制御基板５０や液晶制御基板５６に接続して信号の出力レベルを計測し、その計測値からレベル調整機能の良否を判定することができる。
【００６５】
その他、レベル調整回路による出力レベルの調整は、スピーカ３２，３４の音量や液晶表示画面の輝度を調整するものだけでなく、例えば枠ランプ２８ａ〜２８ｆの輝度を段階的に調整するものであってもよい。この場合も各実施例と同様に、検査用コネクタ６０にファンクションテスタ６２を接続して輝度調整機能の検査を自動的に実施することができる。
【００６６】
本発明は上述した一実施形態に制約されるものではなく、パチンコ機の機種や具体的な仕様に応じて形態に変形が加えられる。例えば、一実施形態のパチンコ機１ではサブ制御基板５０と液晶制御基板５６とが別のユニットとなっているが、これらの制御機能を１つにまとめた演出制御基板を有するものであってもよい。また最初に述べたように、本発明はパチンコ機だけでなく、スロットマシン遊技機であってもよい。
【００６７】
一実施形態では、遊技者に提供する情報として音情報や映像情報を例に挙げているが、本発明の遊技機は、例えば発射ハンドル１２の振動によって遊技者の触覚に働きかける情報を出力するものであってもよい。この場合、発射ハンドル１２にはバイブレータが内蔵されており、その振動レベルの強弱を一実施形態と同様のレベル調整回路により調整することができるし、その調整機能については、各実施例と同様の検査システムを用いて検査することができる。
【００６８】
【発明の効果】
本発明の遊技機は、利便性・有用性に優れたレベル調整機能を備えるとともに、その機能が有効に働くか否かを効率的に検査することができる。このため製品の性能をより高度に保持するとともに、その信頼性や品質を大幅に向上することができる。
【図面の簡単な説明】
【図１】一実施形態のパチンコ機の正面図である。
【図２】図１のパチンコ機の背面図である。
【図３】パチンコ機の制御ブロック図である。
【図４】レベル調整回路とその検査システムの概略図である。
【図５】図４とは別の検査システムの概略図である。
【符号の説明】
１    パチンコ機
３２，３４    スピーカ（情報出力機器）
５０    サブ制御基板（制御機器）
６０    検査用コネクタ
６２    ファンクションテスタ（検査装置）
６４    検査用プローブ（検査用端子）
７２    音圧センサ（状態センサ）
７４    判定回路
Ｌ１    出力経路
Ｌ３    抵抗付加経路
Ｓ１    ピンスイッチ（操作スイッチ）
Ｐ１，Ｐ２    接点
【図１】
2004267487.tif 000003
【図２】
2004267487.tif 000004
【図３】
2004267487.tif 000005
【図４】
2004267487.tif 000006
【図５】
2004267487.tif 000007